(57)【要約】  利便性を維持し、かつ記憶部に必要な記憶容量を抑制する。加熱調理器は、内部メニューの料理ごとの調理情報を記憶する記憶部（４２）、調理情報に従って加熱調理を制御する制御部（３４）とを備える。制御部（３４）は、外部メニューの料理が選択された場合に、選択された料理の調理部分情報を管理装置から取得し、取得した調理部分情報と関連付けられた調理情報を使用して加熱調理を制御する。
2019053912.tif 000002
【特許請求の範囲】
【請求項１】
食材を加熱調理し、内部メニューの料理ごとの調理情報を記憶する記憶部と、
前記調理情報に従って前記食材の加熱調理を制御する調理制御部とを備えている加熱調理器において、
前記内部メニューのいずれかの料理の前記調理情報と関連付けられた、外部メニューの料理ごとの調理部分情報を保持する管理装置と通信する通信部を備え、
前記調理制御部は、前記外部メニューの料理が選択された場合に、選択された料理の調理部分情報を前記管理装置から取得し、取得した調理部分情報と関連付けられた前記調理情報を使用して前記食材の加熱調理を制御することを特徴とする加熱調理器。
【請求項２】
前記調理部分情報は、前記外部メニューの選択された料理の調理をする場合に、前記調理情報のうちから使用する調理情報を指定する情報である調理パラメータ、および前記調理パラメータによって指定された調理情報の変更すべき部分についての置換え情報である変更パラメータを含んでいることを特徴とする請求項１に記載の加熱調理器。
【請求項３】
前記調理部分情報には、前記外部メニューの選択された料理の調理をする場合に、前記調理情報のうちから使用する調理情報を指定する情報である調理パラメータ、および前記調理パラメータによって指定された調理情報の変更すべき部分についての置換え情報である変更パラメータが存在する第１の調理部分情報と、前記調理パラメータによって指定された調理情報を変更することなくそのまま使用できる場合に、前記調理パラメータを含み、前記変更パラメータを含んでいない第２の調理部分情報とが存在することを特徴とする請求項１に記載の加熱調理器。
【請求項４】
請求項１から３のいずれか１項に記載の加熱調理器と前記管理装置とを備えていることを特徴とする加熱調理システム。
【発明の詳細な説明】
【技術分野】
【０００１】
本発明は、食材を加熱調理する加熱調理器およびその加熱調理器を備えた加熱調理システムに関する。
【背景技術】
【０００２】
従来の加熱調理器は、複数の料理についての調理情報（調理のシーケンス）を記憶部に記憶しており、調理すべき料理が選択された場合に、選択された料理についての調理情報を記憶部から読み出し、その調理情報に従って調理を行うようになっている。【０００３】
一方、加熱調理器にて調理し得る料理の数は非常に多く、それら多数の料理についての調理情報を記憶部に記憶しておくことは、記憶部の記憶容量の面から合理的ではなく、また困難である。【０００４】
これに対し、特許文献１に記載の構成では、管理コンピュータが多数の料理についての調理情報を記憶している。加熱調理器としての電子レンジは、管理コンピュータと通信し、メニューから選択した料理についての調理情報を管理コンピュータから取得し、取得した調理情報を記憶部が記憶している調理情報と書き替えるようになっている。【０００５】
このような構成によれば、電子レンジは、大きい記憶容量の記憶部を備えることなく、管理コンピュータが有する多数の料理の調理情報を利用することができる。
【先行技術文献】
【特許文献】
【０００６】
【特許文献１】日本国公開特許公報「特開平９−０６０８８６号公報」
【発明の概要】
【発明が解決しようとする課題】
【０００７】
しかしながら、上記従来の構成では、加熱調理器は、前回行った料理とは異なる料理の調理をする場合、常に管理コンピュータと通信し、管理コンピュータから調理情報を取得する必要がある。この場合、調理情報が大きいデータサイズであるため、通信に時間を要し、迅速に調理を開始することができない。また、異なる料理の調理をする度に調理情報を取得する作業が面倒であり、加熱調理器は利便性が低いものとなるという問題点を有している。【０００８】
したがって、本発明は、利便性を維持し、かつ加熱調理器の記憶部に必要な記憶容量を抑制することができる加熱調理器および加熱調理システムの提供を目的としている。
【課題を解決するための手段】
【０００９】
上記の課題を解決するために、本発明の一態様に係る加熱調理器は、食材を加熱調理し、内部メニューの料理ごとの調理情報を記憶する記憶部と、前記調理情報に従って前記食材の加熱調理を制御する調理制御部とを備えている加熱調理器において、外部メニューの料理ごとに設けられ、前記内部メニューのいずれかの料理の調理情報と関連付けられた調理部分情報を保持する管理装置と通信する通信部を備え、前記調理制御部は、前記外部メニューの料理が選択された場合に、選択された料理の調理部分情報を前記管理装置から取得し、取得した調理部分情報と関連付けられた前記調理情報を使用して前記食材の加熱調理を制御することを特徴とする。
【発明の効果】
【００１０】
本発明の一態様によれば、加熱調理器は、利便性を維持し、かつ記憶部に必要な記憶容量を抑制することができるという効果を奏する。
【図面の簡単な説明】
【００１１】
【図１】本発明の実施形態の加熱調理器の蓋体を閉じた状態の斜視図である。
【図２】図１に示した加熱調理器の蓋体を開いた状態の斜視図である。
【図３】図１に示した加熱調理器の制御装置の構成を示すブロック図である。
【図４】本発明の実施形態の加熱調理器が組み込まれている通信システムの構成を示すブロック図である。
【図５】図４に示したクラウドサーバの構成を示すブロック図である。
【図６】図５に示したクラウドサーバの記憶部が記憶している調理部分情報の構成を示す説明図である。
【図７】図７の(ａ)は、図３に示した加熱調理器の動作を示すフローチャート、図７の(ｂ)は、図７の(ａ)の加熱調理器の動作に対応した、図５に示したクラウドサーバの動作を示すフローチャートである。
【発明を実施するための形態】
【００１２】
〔実施形態１〕
本発明の実施形態を図面に基づいて以下に説明する。図１は、本発明の実施形態の加熱調理器の蓋体を閉じた状態の斜視図である。図２は、図１に示した加熱調理器の蓋体を開いた状態の斜視図である。
【００１３】
（加熱調理器の概要）
図１および図２に示すように、加熱調理器１は、調理器本体部１１、蓋体１２および内鍋１３を備えている。
【００１４】
（調理器本体部）
調理器本体部１１は、内鍋収容部２１、加熱部２２、温度センサ２３および重量センサ２４を備えている。
【００１５】
内鍋収容部２１は、調理器本体部１１に形成された凹部であり、内鍋１３を収容する。加熱部２２は、内鍋収容部２１に収容された内鍋１３すなわち食材を加熱する。加熱部２２は、例えば誘導加熱コイルからなるものの、これに限定されず、従来周知の加熱手段を使用可能である。温度センサ２３は内鍋１３の温度を検知する。重量センサ２４は、内鍋１３が収容している食材の重さを検出する。
【００１６】
（蓋体）
蓋体１２は、調理器本体部１１に開閉可能に取り付けられ、調理器本体部１１に収納された内鍋１３の開口を開閉するようになっている。蓋体１２は、外蓋３１、内蓋３２および撹拌機構３３を備えている。
【００１７】
外蓋３１は、ヒンジバネ３１ａを介して調理器本体部１１と連結されている。内蓋３２は、外蓋３１に着脱可能に取り付けられ、蓋体１２の閉状態において内鍋１３を塞ぐようになっている。
【００１８】
外蓋３１の内部には、制御部（調理制御部）３４、モータ３５およびスピーカ３６が設けられている。
【００１９】
制御部３４は、ＣＰＵからなり、加熱調理器１における各種動作、特に食材に対する加熱調理の動作を制御する。制御部３４は、ＲＯＭ（Read Only Memory）が記憶しているプログラムや入力データ等に基づいて加熱部２２や撹拌機構３３等を制御し、選択された料理に応じた調理を加熱調理器１に実行させる。なお、制御部３４の配置場所は特に限定されず、例えば、調理器本体部１１に配置されていてもよい。モータ３５は撹拌機構３３を回転させる。スピーカ３６はユーザに情報を通知する音声を出力する。
【００２０】
外蓋３１の上面には、操作および表示のための操作・表示部３７が設けられている。操作・表示部３７は、表示部３７１を有し、表示部３７１の周りに種々の操作ボタン３７２を有している。操作ボタン３７２には、各種選択ボタン、スタート・決定ボタンおよび取消しボタンの他、加熱調理器１に対して各種動作を指令する種々のボタンが含まれている。スタート・決定ボタンは、予約調理を含む調理の開始を指示するための操作ボタンである。
【００２１】
表示部３７１は、操作ボタン３７２に対するユーザの操作等に応じて、ユーザが選択する各種情報を表示する。
【００２２】
（撹拌機構）
撹拌機構３３は、モータ３５に駆動されて回転し、調理中に内鍋１３内の食材を適宜撹拌する。撹拌機構３３は、内蓋３２における内鍋１３との対向面側に着脱可能に取り付けられ、２本の撹拌アーム３３１および回転体３３２を有する。撹拌アーム３３１は、回転体３３２に取り付けられ、撹拌機構３３の非使用時には倒伏状態（実線）となり、撹拌機構３３の使用時には起立状態（二点鎖線）となる。
【００２３】
（内鍋１３）
内鍋１３は、調理器本体部１１の内鍋収容部２１に配置される。内鍋１３には、料理の種類に応じて、調理対象となる食材（野菜、肉、魚、調味料等）が収容される。内鍋１３は、例えばアルミニウム等の高熱伝導部材で形成されている。
【００２４】
（加熱調理器の制御装置）
図３は、加熱調理器１の制御装置の構成を示すブロック図である。図３に示すように、加熱調理器１の制御装置は制御部３４を備え、制御部３４には、加熱部２２、温度センサ２３、重量センサ２４、モータ駆動回路３８、スピーカ駆動回路３９、操作・表示部３７、計時部４０、通信部４１および記憶部４２が接続されている。
【００２５】
モータ駆動回路３８は、制御部３４に制御されてモータ３５を駆動し、スピーカ駆動回路３９は、制御部３４に制御されてスピーカ３６を駆動する。計時部４０はタイマ機能を有し時間を計時する。通信部４１は例えばインターネット１０２によりクラウドサーバ２００と通信する(図４参照)。
【００２６】
記憶部４２は、料理ごとの調理について、制御部３４が加熱部２２および撹拌機構３３等に対して行う制御内容の情報を記憶している。特に、加熱調理器１は予約調理により、多数の料理について調理の開始から終了まで自動的に行うようになっている。そこで、記憶部４２は、予約調理について、料理ごとの調理の開始から調理の完了までの加熱部２２および撹拌機構３３等に対して制御部３４が行う制御内容の情報（以下、予約調理情報と称する）を記憶している。また、記憶部４２は、予約調理ではない通常調理について、料理ごとの調理の開始から調理の完了までの加熱部２２および撹拌機構３３等に対して制御部３４が行う制御内容の情報（以下、通常調理情報と称する）を記憶している。なお、記憶部４２が記憶している調理情報（予約調理情報、通常調理情報）は、例えば基本的な複数の料理についての調理情報である。
【００２７】
また、記憶部４２は、操作ボタン３７２による各種設定や調理等の際のスピーカ３６による発話すべき情報を記憶している。
【００２８】
したがって、制御部３４は、記憶部４２が記憶している制御内容に従って、加熱部２２、モータ３５を駆動するモータ駆動回路３８、およびスピーカ３６を駆動するスピーカ駆動回路３９の動作を制御する。
【００２９】
具体的には、制御部３４は、記憶部４２が記憶している調理情報（予約調理情報、通常調理情報）に基づいて調理を実行するために各部を制御する。この場合、制御部３４は、食材の温度が調理情報に規定された所定の温度となるように、加熱部２２の動作を制御する。
【００３０】
制御部３４は、温度センサ２３が検知する内鍋１３の温度、重量センサ２４が検知する食材の重量、および加熱部２２による加熱時間によって、間接的に、内鍋１３内の食材の温度を検知する。
【００３１】
すなわち、加熱調理器１は、温度センサ２３が検知する温度、食材の重量および加熱時間と食材の温度とを対応付けたデータを記憶部４２に格納している。制御部３４は、上記データを参照して、温度センサ２３が検知する温度、食材の重量および加熱時間から、内鍋１３内の食材の温度を検知する。
【００３２】
（加熱調理システム）
図４は、本実施形態の加熱調理器１が組み込まれている加熱調理システム１００の構成を示すブロック図である。図４に示すように、加熱調理システム１００は、加熱調理器１、クラウドサーバ２００（管理装置）、無線ＬＡＮアクセスポイント１０１およびインターネット１０２を含んでいる。
【００３３】
加熱調理器１は、無線ＬＡＮ（Local Area Network）に接続して通信を行う機能を備えている。無線ＬＡＮアクセスポイント１０１は、加熱調理器１とともに建屋４００内に設置された電波中継機である。
【００３４】
加熱調理器１は、クラウドサーバ２００との通信機能を有し、クラウドサーバ２００と通信することにより、加熱調理器１が有していない調理情報をクラウドサーバ２００から取得できるようになっている。ただし、加熱調理器１がクラウドサーバ２００から取得する調理情報は、ユーザにより選択された料理の調理をするための全ての調理情報ではなく、加熱調理器１が既に有している調理情報を利用してユーザにより選択された料理の調理をするための情報である。
【００３５】
（クラウドサーバ）
図５は、クラウドサーバ２００の構成を示すブロック図である。図５に示すように、クラウドサーバ２００は、インターネット１０２を介して加熱調理器１と通信が可能である。また、クラウドサーバ２００は、サーバコンピュータであり、記憶部２０１、通信部２０２および調理情報管理部２０３を備えている。
【００３６】
記憶部２０１は、多数の料理に関し、料理ごとの調理部分情報（予約調理部分情報および通常調理部分情報）を記憶している。
【００３７】
調理情報管理部２０３は、記憶部２０１が記憶している調理部分情報（予約調理部分情報および通常調理部分情報）を管理し、加熱調理器１からの要求に応じて、記憶部２０１が記憶している調理部分情報を読み出し、通信部２０２により加熱調理器１に送信させる。
【００３８】
（調理部分情報）
図６は、クラウドサーバ２００の記憶部２０１が記憶している調理部分情報の構成を示す説明図である。
【００３９】
調理部分情報は、加熱調理器１が調理情報（通常調理情報、予約調理情報）を保持していない料理の調理をする場合に、当該料理の調理を加熱調理器１が保持している調理情報を利用して行うための情報である。通常調理部分情報は、通常調理により料理を作る場合に使用する調理部分情報である。予約調理部分情報は、予約調理により料理を作る場合の調理部分情報である。通常調理部分情報および予約調理部分情報は、料理ごとに作成されている。
【００４０】
図６に示すように、調理部分情報（第１の調理部分情報）は、調理パラメータ、変更パラメータ（通常調理変更パラメータ、予約調理変更パラメータ）およびハッシュ値を含み、ＴＡＲファイルの形式となっている。
【００４１】
調理パラメータは、当該料理（調理部分情報が示す料理）の調理をする場合に、加熱調理器１が有している調理情報（通常調理情報、予約調理情報）のうちから使用する調理情報を指定する情報である。
【００４２】
変更パラメータは、調理パラメータによって指定された調理情報（以下、指定調理情報）を利用して当該料理の調理をするために、指定調理情報の変更すべき部分についての置換え情報である。変更パラメータは、例えば、食材を調理する場合の加熱時間や温度、撹拌機構３３を動作（回転）させる場合の撹拌時間、回転速度、撹拌タイミングなどの情報のうちの一つあるいは複数の情報である。変更パラメータは、通常調理の場合の通常調理変更パラメータおよび予約調理の場合の予約調理変更パラメータを含んでいる。
【００４３】
ハッシュ値は、ＴＡＲファイルに含まれている情報（データ）が正しいかどうかを判定するための情報である。
【００４４】
なお、図６に示した調理部分情報は、通常調理部分情報および予約調理部分情報を含むものとして示した。しかしながら、通常調理部分情報と予約調理部分情報とは独立して設けられていてもよい。
【００４５】
（加熱調理システムの動作）
上記の構成において、本実施形態の加熱調理システム１００の動作について以下に説明する。図７の(ａ)は、加熱調理システム１００の加熱調理器１の動作を示すフローチャートである。図７の(ｂ)は、図７の(ａ)の加熱調理器１の動作に対応したクラウドサーバ２００の動作を示すフローチャートである。
【００４６】
まず、加熱調理器１の動作を図７の(ａ)に基づいて説明する。加熱調理器１は、例えば、カレー、ポトフ、牛すじを含む料理、肉じゃが、あるいはケーキ等、多数の料理を自動的に調理することができる。ユーザは、加熱調理器１を使用する際に、操作ボタン３７２を操作し、表示部３７１に表示される内部メニューに作りたい料理があれば、その料理を選択し、かつ通常調理または予約調理を選択する(Ｓ１１)。
【００４７】
通常調理では、加熱調理器１は、記憶部４２が記憶している通常調理情報に基づいて調理を行い、調理が完了すると動作を終了する。予約調理では、加熱調理器１は、記憶部４２が記憶している予約調理情報に基づいて、予約時刻に調理が完了するように動作する(Ｓ１２)。
【００４８】
なお、加熱調理器１は、記憶部４２が調理情報（通常調理情報、予約調理情報）を保持している料理については、操作ボタン３７２を操作して表示部３７１に表示される料理名をスクロールすることにより選択し、調理することができる。調理の開始は、スタート・決定ボタンを操作することにより行う。
【００４９】
一方、加熱調理器１は、記憶部４２が調理情報を保持しておらず、クラウドサーバ２００の記憶部２０１が調理部分情報を保持している料理については、クラウドサーバ２００から調理部分情報を取得することにより、調理することができる。
【００５０】
この場合、ユーザは、操作ボタン３７２を操作し、表示部３７１の表示をスクロールさせて、例えば「外部メニューから選ぶ」という表示を選択する。これにより、加熱調理器１の制御部３４は、クラウドサーバ２００と通信し、クラウドサーバ２００の記憶部２０１が保持する外部メニューを取得し、取得した外部メニューを表示部３７１に表示させる(Ｓ１３)。
【００５１】
ユーザは、表示部３７１に表示された外部メニューから料理を選択し、かつ通常調理または予約調理を選択する(Ｓ１４)。この場合、例えば料理ａが選択され、かつ予約調理が選択されると、制御部３４はその選択内容を通信部４１によりクラウドサーバ２００に送信する(Ｓ１５)。
【００５２】
加熱調理器１の制御部３４は、通信部４１によりクラウドサーバ２００から料理ａの予約調理部分情報を受信すると(Ｓ１６)、受信した情報を記憶部４２に格納する(Ｓ１７)。その後、制御部３４は、料理ａの予約調理部分情報が示す情報に基づき、記憶部４２が記憶する予約調理情報を利用して料理ａの予約調理を行う(Ｓ１８)。
【００５３】
この場合、制御部３４は、例えば料理ａの予約調理部分情報の調理パラメータが、記憶部４２が記憶する料理Ａの予約調理情報の利用を指示する場合、料理Ａの予約調理情報に対して、料理ａの予約調理部分情報の予約調理変更パラメータが指示する変更を行う。これにより、料理ａの予約調理を料理Ａの予約調理情報を利用して行うことができる。
【００５４】
上記の動作は、外部メニューから料理ａかつ通常調理が選択された場合も、予約調理についての各情報を通常調理についての各情報に置き換えることにより、同様に行うことができる。
【００５５】
次に、クラウドサーバ２００の動作を図７の(ｂ)に基づいて説明する。クラウドサーバ２００は、加熱調理器１から外部メニューの送信要求があると(Ｓ３１)、記憶部２０１が記憶している外部メニューを読み出し、通信部２０２により加熱調理器１へ送信する(Ｓ３２)。
【００５６】
その後、クラウドサーバ２００の調理情報管理部２０３は、加熱調理器１から、料理ａ、かつ予約調理が選択された旨を受信すると(Ｓ３３)、記憶部２０１から、料理ａの予約調理部分情報を読み出し、通信部２０２により、加熱調理器１に送信する(Ｓ３４)。
【００５７】
（加熱調理器および加熱調理システムの利点）
本実施形態の加熱調理システム１００では、加熱調理器１が調理情報を保持していない料理の調理をする場合、その料理についてのクラウドサーバ２００が保持している調理部分情報を取得し、調理部分情報が指定する加熱調理器１の調理情報を利用して調理することができる。また、加熱調理器１がクラウドサーバ２００から取得する調理部分情報は、加熱調理器１が保持している調理情報よりも大幅にデータサイズが小さくなっている。
【００５８】
また、加熱調理器１は、例えば基本的な複数の料理についての調理情報を保持しているので、異なる料理の調理をする度に、クラウドサーバ２００と通信して情報を取得するといった事態を回避することができる。
【００５９】
これにより、加熱調理システム１００は、加熱調理器１の加熱調理器の利便性を維持し、かつ加熱調理器１の記憶部４２に必要な記憶容量を抑制することができる。
【００６０】
〔実施形態２〕
本発明の他の実施形態を図面に基づいて以下に説明する。なお、説明の便宜上、前記実施形態にて説明した部材と同じ機能を有する部材については、同じ符号を付記し、その説明を省略する。
【００６１】
クラウドサーバ２００から加熱調理器１に提供される外部メニューの料理には、加熱調理器１の記憶部４２が記憶している調理情報（予約調理情報、通常調理情報）を変更することなく、そのまま利用できるものも存在する。この場合の調理部分情報（予約調理部分情報、通常調理部分情報、第２の調理部分情報）は、図６に示した変更パラメータ（通常調理変更パラメータ、予約調理変更パラメータ）を含んでいない。
【００６２】
この場合には、調理部分情報のデータサイズがさらに小さくなり、加熱調理器１はクラウドサーバ２００からさらに迅速に調理部分情報を取得することができる。
【００６３】
〔実施形態３〕
本発明のさらに他の実施形態を図面に基づいて以下に説明する。なお、説明の便宜上、前記実施形態にて説明した部材と同じ機能を有する部材については、同じ符号を付記し、その説明を省略する。
【００６４】
前述のように、加熱調理器１がクラウドサーバ２００から調理部分情報（予約調理部分情報および通常調理部分情報）を取得した場合、加熱調理器１の記憶部４２には調理部分情報が格納される。この調理部分情報は、調理部分情報を使用して料理の調理を完了した後、制御部３４が記憶部４２から削除するようにしてもよい。
【００６５】
あるいは、制御部３４は、記憶部４２の記憶容量の余裕度合に応じて、削除するか残すかを決定するようにしてもよい。例えば、記憶部４２の残容量が所定の閾値以上の場合には調理部分情報を残し、所定の閾値未満の場合には調理部分情報を削除するといった対応である。
【００６６】
〔まとめ〕
本発明の態様１に係る加熱調理器は、食材を加熱調理し、内部メニューの料理ごとの調理情報を記憶する記憶部４２と、前記調理情報に従って前記食材の加熱調理を制御する調理制御部（制御部３４）とを備えている加熱調理器において、前記内部メニューのいずれかの料理の前記調理情報と関連付けられた、外部メニューの料理ごとの調理部分情報を保持する管理装置（クラウドサーバ２００）と通信する通信部４１を備え、前記調理制御部は、前記外部メニューの料理が選択された場合に、選択された料理の調理部分情報を前記管理装置から取得し、取得した調理部分情報と関連付けられた前記調理情報を使用して前記食材の加熱調理を制御する。
【００６７】
上記構成によれば、調理制御部は、外部メニューの料理が選択された場合に、選択された料理の調理部分情報を管理装置から取得し、取得した調理部分情報と関連付けられた調理情報を使用して食材の加熱調理を制御する。
【００６８】
したがって、外部メニューの料理が選択された場合に、加熱調理器が管理装置から取得する調理部分情報は、記憶部４２が記憶する、内部メニューの料理の調理情報との関連付けを示す情報であり、調理情報と比較してデータサイズを非常に小さくすることができる。また、加熱調理器は、複数の料理（例えば基本的な料理）についての調理情報を記憶部４２に保持しているので、異なる料理の調理をする度に、管理装置と通信して情報を取得するといった事態を回避することができる。
【００６９】
これにより、加熱調理器は、利便性を維持し、かつ記憶部４２に必要な記憶容量を抑制することができる。
【００７０】
本発明の態様２に係る加熱調理器は、上記態様１において、前記調理部分情報は、前記外部メニューの選択された料理の調理をする場合に、前記調理情報のうちから使用する調理情報を指定する情報である調理パラメータ、および前記調理パラメータによって指定された調理情報の変更すべき部分についての置換え情報である変更パラメータを含んでいる構成としてもよい。
【００７１】
上記の構成によれば、調理部分情報は、外部メニューの選択された料理の調理をする場合に、調理情報のうちから使用する調理情報を指定する情報である調理パラメータ、および調理パラメータによって指定された調理情報の変更すべき部分についての置換え情報である変更パラメータを含んでいればよいので、記憶部４２が記憶している調理情報と比較してデータサイズを確実に小さくすることができる。
【００７２】
本発明の態様３に係る加熱調理器は、上記態様１において、前記調理部分情報には、前記外部メニューの選択された料理の調理をする場合に、前記調理情報のうちから使用する調理情報を指定する情報である調理パラメータ、および前記調理パラメータによって指定された調理情報の変更すべき部分についての置換え情報である変更パラメータが存在する第１の調理部分情報と、前記調理パラメータによって指定された調理情報を変更することなくそのまま使用できる場合に、前記調理パラメータを含み、前記変更パラメータを含んでいない第２の調理部分情報とが存在する構成としてもよい。
【００７３】
上記の構成によれば、外部メニューの料理が選択された場合に、調理部分情報として、前記調理パラメータを含み、変更パラメータを含んでいない第２の調理部分情報を管理装置から取得する場合には、取得する調理部分情報のデータサイズがさらに小さくなる。
【００７４】
本発明の態様４に係る加熱調理システムは、上記態様１から３のいずれか１態様に記載の加熱調理器と前記管理装置とを備えている構成としてもよい。
【００７５】
上記の構成によれば、加熱調理システムは、加熱調理器の利便性を維持し、かつ加熱調理器の記憶部４２に必要な記憶容量を抑制することができる。
【００７６】
本発明の各態様に係る加熱調理器は、コンピュータによって実現してもよく、この場合には、コンピュータを加熱調理器が備える加熱制御部として動作させることにより加熱調理器をコンピュータにて実現させるプログラム、及びそれを記録したコンピュータ読み取り可能な記録媒体も本発明の範疇に入る。
【符号の説明】
【００７７】
１    加熱調理器
１１    調理器本体部
１２    蓋体
１３    内鍋
２１    内鍋収容部
２２    加熱部
２３    温度センサ
２４    重量センサ
３１    外蓋
３２    内蓋
３３    撹拌機構
３４    制御部
３５    モータ
３６    スピーカ
３７    操作・表示部
４１    通信部
４２    記憶部
１００  加熱調理システム
２００  クラウドサーバ（管理装置）
２０１  記憶部
３７１  表示部
３７２  操作ボタン
【図１】
2019053912.tif 000003
【図２】
2019053912.tif 000004
【図３】
2019053912.tif 000005
【図４】
2019053912.tif 000006
【図５】
2019053912.tif 000007
【図６】
2019053912.tif 000008
【図７】
2019053912.tif 000009
【国際調査報告】
2019053912.tif 000010
2019053912.tif 000011
2019053912.tif 000012